(57)【特許請求の範囲】
【請求項１】
対象空間（ＳＩ）の冷房および暖房が可能な空気調和装置（１００）であって、
熱交換器（１０）と、
第１送風口（４２，４３）と第２送風口（４４，４５）とを有し、前記第１送風口（４２，４３）を介して該熱交換器（１０）を通過した空気を前記対象空間（ＳＩ）の上方に送る第１状態と、前記第２送風口（４４，４５）を介して該熱交換器（１０）を通過した空気を前記対象空間（ＳＩ）の下方に送る第２状態とを切り替える切替装置（４０）と、
前記対象空間（ＳＩ）の上方の温度を検知する上方温度センサ（Ｔ２）と、
前記対象空間（ＳＩ）の下方の温度を検知する下方温度センサ（Ｔ１）と、
冷房能力もしくは暖房能力を変更可能な能力変更部（１０，２１，１１，１１ｍ）と、
暖房運転時には前記下方温度センサ（Ｔ１）の検知値に基づいて前記能力変更部における能力を調節し、冷房運転時には前記上方温度センサ（Ｔ２）の検知値に基づいて前記能力変更部における能力を調節する調節部（８）と、
を備えた空気調和装置（１００）。
【請求項２】
対象空間（ＳＩ）の冷房および暖房が可能な空気調和装置（１００）であって、
熱交換器（１０）と、
第１送風口（４２，４３）と第２送風口（４４，４５）とを有し、前記第１送風口（４２，４３）を介して該熱交換器（１０）を通過した空気を前記対象空間（ＳＩ）の上方に送る第１状態と、前記第２送風口（４４，４５）を介して該熱交換器（１０）を通過した空気を前記対象空間（ＳＩ）の下方に送る第２状態とを切り替える切替装置（４０）と、
前記対象空間（ＳＩ）の上方の温度を検知する上方温度センサ（Ｔ２）と、
前記対象空間（ＳＩ）の下方の温度を検知する下方温度センサ（Ｔ１）と、
冷房能力もしくは暖房能力を変更可能な能力変更部（１０，２１，１１，１１ｍ）と、
前記上方温度センサ（Ｔ２）と前記下方温度センサ（Ｔ１）との検知値の差が所定値以下となるように前記能力変更部における能力を調節する調節部（８）と、
を備えた空気調和装置（１００）。
【請求項３】
前記第２送風口（４４，４５）に接続され、下方に向けて伸びるガイドダクト（６０）をさらに備えた、
請求項１または２に記載の空気調和装置（１００）。
【請求項４】
前記ガイドダクト（６０）は、前記第２送風口（４４，４５）に接続される上端口（６０Ｕ）と、下端口（６０Ｄ）と、を有しており、前記上端口（６０Ｕ）と前記下端口（６０Ｄ）との間に開口を有していない、
請求項３に記載の空気調和装置（１００）。
【請求項５】
前記ガイドダクト（６０）の前記上端口（６０Ｕ）から前記下端口（６０Ｄ）との間の少なくともいずれかの部分を外部から覆う断熱材（８０）をさらに備えた、
請求項４に記載の空気調和装置（１００）。
【請求項６】
前記第１送風口（４２，４３）を通過した前記調和空気を前記対象空間（ＳＩ）の上方の所定上方位置に導くように延びており、前記所定上方位置に至る途中において微細開口を有している上方ダクト（５０）と、
前記第２送風口（４４，４５）を通過した前記調和空気を前記対象空間（ＳＩ）の下方の所定下方位置に導くように延びており、前記所定下方位置に至る途中において微細開口を有している下方ダクト（７０）と、をさらに備えた、
請求項１から５のいずれか１項に記載の空気調和装置（１００）。
【請求項７】
前記下方ダクト（７０）は、前記対象空間（ＳＩ）に存在する被温調対象物（Ｃ）の近傍に配置される、
請求項６に記載の空気調和装置（１００）。
【請求項８】
冷房運転と暖房運転を行うための入力を受け付ける受付部（３０）をさらに備え、
前記切替装置（４０）は、前記受け付けた入力に基づいて前記第１状態と前記第２状態とを相互に切り替える、
請求項１から７のいずれか１項に記載の空気調和装置（１００）。
【請求項９】
該熱交換器（１０）に対して前記対象空間（ＳＩ）の上方に空気供給するための供給機構をさらに備え、
該熱交換器（１０）は、前記対象空間（ＳＩ）の上方に配置されており、
前記上方温度センサ（Ｔ３）は、該熱交換器（１０）の吸込側に配置されている、
請求項１から８のいずれか１項に記載の空気調和装置（１００）。
【発明の詳細な説明】
【技術分野】
【０００１】
本発明は、冷房および暖房を行う空気調和装置に関する。
【背景技術】
【０００２】
従来、冷暖房を行う対象空間に向けて調和された空気を供給する場合に、冷房運転時には、供給される冷たい調和空気が対象空間の下方にたまりやすく、暖房運転時には、供給される暖かい調和空気が対象空間の上方にたまりやすい。
【０００３】
これに対して、以下の特許文献１に示す装置では、室内の上方に配置されて熱交換器を有し室内の上方に調和空気を供給する上方空調機と、室内の下方に配置されて熱交換器を有し室内の下方に調和空気を供給する下方空調機と、によって室内を冷暖房する技術が提案されている。この装置によると、下方にたまりやすい冷たい調和空気を供給する場合には上方空調機の能力を上げて、上方にたまりやすい暖かい調和空気を供給する場合には下方空調機の能力を上げることで、室内における温度ムラを低減させている。
【特許文献１】特開平８−３５７０４号公報
【発明の開示】
【発明が解決しようとする課題】
【０００４】
しかし、上記特許文献１に記載の装置では、上方空調機と下方空調機との２つの空調機が必要となっており、装置が大規模になってしまう。
【０００５】
本発明は、上述した点に鑑みてなされたものであり、本発明の課題は、簡易な構成で対象空間の温度ムラを低減させることが可能な空気調和装置を提供することにある。
【課題を解決するための手段】
【０００６】
第１発明に係る空気調和装置は、対象空間の冷房および暖房が可能な空気調和装置であって、熱交換器と、切替装置と、上方温度センサと、下方温度センサと、能力変更部と、調節部とを備えている。切替装置は、第１送風口と第２送風口とを有している。そして、切替装置は、第１送風口を介して該熱交換器を通過した空気を対象空間の上方に送る第１状態と、第２送風口を介して該熱交換器を通過した空気を対象空間の下方に送る第２状態とを切り替える。上方温度センサは、対象空間の上方の温度を検知する。下方温度センサは、対象空間の下方の温度を検知する。能力変更部は、冷房能力もしくは暖房能力を変更可能である。調節部は、暖房運転時には下方温度センサの検知値に基づいて能力変更部における能力を調節し、冷房運転時には上方温度センサの検知値に基づいて能力変更部における能力を調節する。
【０００７】
ここでは、第１状態として下方に集まりやすい比較的冷たい空気を対象空間上方の空間に送ることで、対象空間を冷やす際の温度ムラを低減させることができるだけでなく、第２状態として上方に集まりやすい比較的暖かい空気を対象空間下方の空間に送ることで、対象空間を暖める際の温度ムラを低減させることも可能になる。そして、第１状態において対象空間の上方に送る空気と、第２状態において対象空間の下方に送る空気とは、いずれも同一の熱交換器を通過した空気であるため、１台の熱交換器を第１状態と第２状態とにおいて共通して利用することができ、構成を簡易なものとすることができる。
【０００８】
これにより、対象空間を冷やす場合も暖める場合も、簡易な構成で温度ムラを低減させることが可能になる。
【０００９】
また、ここでは、冷房運転を行って対象空間を冷やす場合に冷たい空気が下方にたまりやすいため、下方に位置している下方温度センサでは目標とする温度まで冷えた値を検知していても、上方に位置している上方温度センサは目標とする温度まで冷えた値を検知していない場合がある。また、暖房運転を行って対象空間を暖める場合に暖かい空気が上方にたまりやすいため、上方に位置している上方温度センサでは目標とする温度まで暖められた値を検知していても、下方に位置している下方温度センサは目標とする温度まで暖められた値を検知していない場合がある。
【００１０】
これに対して、調節部は、冷房能力もしくは暖房能力を変更可能な能力変更部における能力を、暖房運転時は下方温度センサの検知値を基準として、冷房運転時は上方温度センサの検知値を基準として、それぞれ能力を調節する。
【００１１】
これにより、対象空間における上方だけが暖められたり冷やされたりすることを防ぎ、対象空間における下方だけが暖められたり冷やされたりすることを防ぎ、対象空間の全体が目標とする状態となるように能力調節を行うことが可能になる。
【００１２】
第２発明に係る空気調和装置は、対象空間の冷房および暖房が可能な空気調和装置であって、熱交換器と、切替装置と、上方温度センサと、下方温度センサと、能力変更部と、調節部とを備えている。切替装置は、第１送風口と第２送風口とを有している。そして、切替装置は、第１送風口を介して該熱交換器を通過した空気を対象空間の上方に送る第１状態と、第２送風口を介して該熱交換器を通過した空気を対象空間の下方に送る第２状態とを切り替える。上方温度センサは、対象空間の上方の温度を検知する。下方温度センサは、対象空間の下方の温度を検知する。能力変更部は、冷房能力もしくは暖房能力を変更可能である。調節部は、上方温度センサと下方温度センサとの検知値の差が所定値以下となるように能力変更部における能力を調節する。
【００１３】
ここでは、第１状態として下方に集まりやすい比較的冷たい空気を対象空間上方の空間に送ることで、対象空間を冷やす際の温度ムラを低減させることができるだけでなく、第２状態として上方に集まりやすい比較的暖かい空気を対象空間下方の空間に送ることで、対象空間を暖める際の温度ムラを低減させることも可能になる。そして、第１状態において対象空間の上方に送る空気と、第２状態において対象空間の下方に送る空気とは、いずれも同一の熱交換器を通過した空気であるため、１台の熱交換器を第１状態と第２状態とにおいて共通して利用することができ、構成を簡易なものとすることができる。
【００１４】
これにより、対象空間を冷やす場合も暖める場合も、簡易な構成で温度ムラを低減させることが可能になる。
【００１５】
また、ここでは、冷房運転を行って対象空間を冷やす場合に冷たい空気が下方にたまりやすいため、下方に位置している下方温度センサでは目標とする温度まで冷えた値を検知していても、上方に位置している上方温度センサは目標とする温度まで冷えた値を検知していない場合がある。また、暖房運転を行って対象空間を暖める場合に暖かい空気が上方にたまりやすいため、上方に位置している上方温度センサでは目標とする温度まで暖められた値を検知していても、下方に位置している下方温度センサは目標とする温度まで暖められた値を検知していない場合がある。
【００１６】
これに対して、調節部は、冷房能力もしくは暖房能力を変更可能な能力変更部における能力を、上方温度センサと下方温度センサとの検知値の差が所定値以下となるように、能力を調節する。
【００１７】
これにより、対象空間における上方と下方との温度差を抑えるように能力調節を行うことが可能になる。
【００１８】
第３発明に係る空気調和装置は、第１発明または第２発明の空気調和装置において、第２送風口に接続され、下方に向けて延びるガイドダクトをさらに備えている。
【００１９】
ここでは、ガイドダクトは、調和空気を下方の空間まで直接的に導くことができる。
【００２０】
これにより、対象空間の温度ムラの低減をより効果的にすることが可能になる。
【００２１】
第４発明に係る空気調和装置は、第３発明の空気調和装置において、ガイドダクトは、第２送風口に接続される上端口と、下端口と、を有しており、上端口と下端口との間に開口を有していない。
【００２２】
ここでは、ガイドダクト内を通過して、対象空間の下方まで導かれる空気は、途中でガイドダクトの外部に漏れ出すことがない。
【００２３】
これにより、調和空気を下方まで導く途中での熱損失を低減させることが可能になる。
【００２４】
第５発明に係る空気調和装置は、第４発明の空気調和装置において、ガイドダクトの上端口から下端口との間の少なくともいずれかの部分を外部から覆う断熱材をさらに備えている。なお、ガイドダクトを外部から覆う断熱材は、ガイドダクトの一部だけでなく、全体を覆うものであってもよい。
【００２５】
ここでは、ガイドダクトの外部に断熱材が設けられているため、ガイドダクトを通過する温調空気は、外部との熱交換が低減される。
【００２６】
これにより、温調空気が下方に導かれる途中の段階でガイドダクトの周囲の空気との間で熱交換が行われてしまうことを抑えて、下方に供給する温調空気の熱損失をより効果的に抑えることが可能になる。
【００２７】
第６発明に係る空気調和装置は、第１発明から第５発明の空気調和装置において、上方ダクトと、下方ダクトとをさらに備えている。上方ダクトは、第１送風口を通過した調和空気を対象空間の上方の所定上方位置に導くように延びており、所定上方位置に至る途中において微細開口を有している。下方ダクトは、第２送風口を通過した調和空気を対象空間の下方の所定下方位置に導くように延びており、所定下方位置に至る途中において微細開口を有している。
【００２８】
ここでは、上方ダクトによって対象空間の所定上方位置にまで調和空気が導かれるだけでなく、その途中においても微細開口を介して調和空気が対象空間に送り出される。また、下方ダクトによって対象空間の所定下方位置にまで調和空気が導かれるだけでなく、その途中においても微細開口を介して調和空気が対象空間に送り出される。
【００２９】
これにより、対象空間の上方や下方に対して調和空気をより均一的に供給することが可能になる。
【００３０】
第７発明に係る空気調和装置は、第６発明の空気調和装置において、下方ダクトは、対象空間に存在する被温調対象物の近傍に配置される。
【００３１】
ここでは、下方ダクトが被温調対象物の近傍に配置されるため、被温調対象物は、温調効果をより直接的に受けることが可能になる。
【００３２】
これにより、被温調対象物をより効果的に温調することが可能になる。
【００３３】
第８発明に係る空気調和装置は、第１発明から第７発明の空気調和装置において、冷房運転と暖房運転を行うための入力を受け付ける受付部をさらに備えている。そして、切替装置は、受け付けた入力に基づいて第１状態と第２状態とを相互に切り替える。
【００３４】
ここでは、受付部が受け付けた冷房運転や暖房運転を行うための入力に基づいて、切替装置は、自動的に第１状態と第２状態とを切り替える。
【００３５】
これにより、冷房運転もしくは暖房運転の入力に応じて自動的に温度ムラが低減するような送風状態に切り替えることが可能になる。
【００３６】
第９発明に係る空気調和装置は、第１発明から第８発明のいずれかの空気調和装置において、該熱交換器に対して対象空間の上方に空気供給するための供給機構をさらに備えている。該熱交換器は、対象空間の上方に配置されており、上方温度センサは、該熱交換器の吸込側に配置されている。
【００３７】
ここでは、上方温度センサを、対象空間における上方の温度を検知するためのセンサとして用いつつ、熱交換器に吸い込まれる空気の温度を検知するためのセンサとしても用いることが可能になる。
【００３８】
これにより、上方空間の温度検知用のセンサと、熱交換器の吸い込み温度検知用のセンサとを兼ねることで、センサの数を低減させることが可能になる。
【発明の効果】
【００３９】
第１発明の空気調和装置では、対象空間を冷やす場合も暖める場合も、簡易な構成で温度ムラを低減させることが可能になる。また、対象空間における上方だけが暖められたり冷やされたりすることを防ぎ、対象空間における下方だけが暖められたり冷やされたりすることを防ぎ、対象空間の全体が目標とする状態となるように能力調節を行うことが可能になる。
【００４０】
第２発明の空気調和装置では、対象空間を冷やす場合も暖める場合も、簡易な構成で温度ムラを低減させることが可能になる。また、対象空間における上方と下方との温度差を抑えるように能力調節を行うことが可能になる。
【００４１】
第３発明の空気調和装置では、対象空間の温度ムラの低減をより効果的にすることが可能になる。
【００４２】
第４発明の空気調和装置では、調和空気を下方まで導く途中での熱損失を低減させることが可能になる。
【００４３】
第５発明の空気調和装置では、下方に供給する温調空気の熱損失をより効果的に抑えることが可能になる。
【００４４】
第６発明の空気調和装置では、対象空間の上方や下方に対して調和空気をより均一的に供給することが可能になる。
【００４５】
第７発明の空気調和装置では、被温調対象物をより効果的に温調することが可能になる。
【００４６】
第８発明の空気調和装置では、冷房運転もしくは暖房運転の入力に応じて自動的に温度ムラが低減するような送風状態に切り替えることが可能になる。
【００４７】
第９発明の空気調和装置では、上方空間の温度検知用のセンサと、熱交換器の吸い込み温度検知用のセンサとを兼ねることで、センサの数を低減させることが可能になる。
【発明を実施するための最良の形態】
【００４８】
＜空気調和装置の概略構成＞
図１に、本発明の一実施形態が採用された空気調和装置１００の概略構成図を示す。
【００４９】
本発明の一実施形態が採用された空気調和装置１００は、図１に示すように、ビニルハウス９０の内部の空間ＳＩを対象空間として空気調和を行うものであり、ビニルハウス９０内の上方空間に配置される室内機１と、ビニルハウス９０外に配置される室外機２とを備えている。このビニルハウス９０内では、例えば、育成に際して温度調節が必要な被温調対象として椎茸等の作物Ｃが栽培される。室内機１内および室外機２内にはそれぞれ熱交換器が収納されており、各熱交換器が冷媒配管により接続されることにより冷媒回路を構成しており、冷媒が循環している。
【００５０】
＜空気調和装置１００の冷媒回路の構成概略＞
空気調和装置１００の冷媒回路の構成を図２に示す。
【００５１】
この冷媒回路は、主として室内熱交換器１０、アキュムレータ２４、圧縮機２１、四路切換弁２２、室外熱交換器２３、膨張弁２５および制御装置８等によって構成される。
【００５２】
室内機１に設けられている室内熱交換器１０は、接触する空気との間で熱交換を行う。また、室内機１には、ビニルハウス９０内の空気を吸い込んで室内熱交換器１０に通し熱交換が行われた後の空気をビニルハウス９０内に排出するためのクロスフローファン１１が設けられている。クロスフローファン１１は、室内機１内に設けられる１つの室内ファンモータ１１ｍによって回転駆動される。室内機１は、クロスフローファン１１が回転駆動すると、ビニルハウス９０内の空気が室内熱交換器１０を介して取り込まれ、熱交換された調和空気を再びビニルハウス９０内に戻すことにより、ビニルハウス９０内の空間を空調する。
【００５３】
室外機２には、圧縮機２１と、圧縮機２１の吐出側に接続される四路切換弁２２と、圧縮機２１の吸入側に接続されるアキュムレータ２４と、四路切換弁２２に接続された室外熱交換器２３と、室外熱交換器２３に接続された膨張弁２５とが設けられている。膨張弁２５は、液閉鎖弁２６を介して配管に接続されており、この配管を介して室内熱交換器１０の一端と接続される。また、四路切換弁２２は、ガス閉鎖弁２７を介して配管に接続されており、この配管を介して室内熱交換器１０の他端と接続されている。また、室外機２には、室外熱交換器２３での熱交換後の空気を外部に排出するためのプロペラファン２８が設けられている。このプロペラファン２８は、室外ファンモータ２８ｍによって回転駆動される。なお、四路切換弁２２の接続状態が切り換えられることにより、空気調和装置１００は、暖房運転と冷房運転とを切り替えて実行することができる。この四路切換弁２２の接続状態の切り換えは、後述する制御装置８からの制御指令によって切り換えられる。
【００５４】
制御装置８は、図２に示すように、室内機１における情報処理装置と、室外機２における情報処理装置と、によって構成されており、各種センサＴ１〜Ｔ３から取得した値等に基づいた制御を行う。
【００５５】
＜空気調和装置をビニルハウスに設置することに伴う他の構成＞
空気調和装置１００は、図１に示すように、さらに、吹出切替装置４０と、ガイドダクト６０と、上方ソックダクト５０、下方ソックダクト７０、各種温度センサＴ、リモコン３０等を備えている。
【００５６】
吹出切替装置４０は、室内機１の調和空気吹き出し側に接続されるようにして設けられており、図３に示すように、ケーシング４１、フラップ４７、風向切替制御部４８を備えている。ケーシング４１には、室内機１からの調和空気を吹出切替装置４０内部に導くための室内機側開口４６と、調和空気をビニルハウス９０の上方空間側に導くための上方右開口４２および上方左開口４３と、調和空気をビニルハウス９０の下方空間に導くための下方右開口４４および下方左開口４５と、が設けられている。ここで、上方右開口４２および上方左開口４３が設けられている面と、下方右開口４４および下方左開口４５が設けられている面とは略同一形状となっている。そして、フラップ４７は、下方右開口４４および下方左開口４５を塞ぐ第１状態をとれるように下方右開口４４および下方左開口４５が設けられた面を覆う形状を有しており、上方右開口４２および上方左開口４３を塞ぐ第２状態をとれるように上方右開口４２および上方左開口４３が設けられた面を覆う形状を有している。そして、このフラップ４７は、室内機１から送られる調和空気流の風下側下端部を軸として回動するように設けられている。そして、このフラップ４７の回転軸部分には、風向切替制御部４８が設けられている。この風向切替制御部４８は、上述した制御装置８と接続されており、後述する制御を行うことでフラップ４７を回動させて、第１状態と第２状態とを切り替える。
【００５７】
ガイドダクト６０は、図４に概略斜視図で示すように、上端口６０Ｕ（６１Ｕ）と下端口６０Ｄ（６１Ｄ）とを有する右ガイドダクト６１と、上端口６０Ｕ（６２Ｕ）と下端口６０Ｄ（６２Ｄ）とを有する左ガイドダクト６２とを有している。右ガイドダクト６１は、その上端口６１Ｕを、吹出切替装置４０の下方右開口４４に合わせるようにして、下方に延びている。左ガイドダクト６２は、その上端口６２Ｕを、吹出切替装置４０の下方左開口４５に合わせるようにして、下方に延びている。これらガイドダクト６０は、上端口６０Ｕから下端口６０Ｄに至るまでの間に開口を有していない。このため、調和空気の状態を維持するようにしつつ、また、途中で漏れ出すこともなく、調和空気を下方にガイドすることができる。
【００５８】
上方ソックダクト５０は、図１に示すように、紙でできており、無数の微細開口が設けられたエアフィルタとして機能するダクトであり、右上方ソックダクト５１と、左上方ソックダクト５２とを有している。右上方ソックダクト５１は、ビニルハウス９０の上方の空間において平面視において室内機１が設けられている端部側とは反対側の端部（所定上方位置）に向けて、上方右開口４２から延びるように設けられている。左上方ソックダクト５２も同様に、ビニルハウス９０の上方の空間において平面視において室内機１が設けられている端部側とは反対側の端部（所定下方位置）に向けて、上方左開口４３から延びるように設けられている。これら右上方ソックダクト５１および左上方ソックダクト５２は、それぞれ、図示しないビニルハウス９０の天井の設けられた複数のフックに引っ掛けられることで、天井から吊された状態で配置されている。
【００５９】
下方ソックダクト７０は、図１に示すように、上方ソックダクト５０と同様に、紙でできており、無数の微細開口が設けられたエアフィルタとして機能するダクトであり、右下方ソックダクト７１と、左下方ソックダクト７２とを有している。右下方ソックダクト７１は、ビニルハウス９０の下方の地面上において平面視において室内機１が設けられている端部側とは反対側の端部に向けて、右ガイドダクト６１の下端口６１Ｄから延びるように設けられている。左下方ソックダクト７２も同様に、ビニルハウス９０の下方の地面上において平面視において室内機１が設けられている端部側とは反対側の端部に向けて、左ガイドダクト６２の下端口６２Ｄから延びるように設けられている。これら右下方ソックダクト７１および左下方ソックダクト７２は、ビニルハウス９０内の地面に植えられている作物Ｃの近傍に沿うように配置されている。これにより、作物Ｃに対する温調効果をより直接的に向上させることができる。
【００６０】
温度センサＴは、図１および図２に示すように、下方温度センサＴ１と、上方温度センサＴ２と、吸込温度センサＴ３とを有している。下方温度センサＴ１は、ビニルハウス９０内の空間ＳＩにおける下方の空間に配置されており、制御装置８等に検知値を伝える。上方温度センサＴ２は、ビニルハウス９０内の空間ＳＩにおける上方の空間に配置されており、制御装置８等に検知値を伝える。吸込温度センサＴ３は、室内機１内の室内熱交換器１０の風下側に配置されており、制御装置８等に検知値を伝える。
【００６１】
リモコン３０は、空気調和装置１００の運転モードを入力可能なコントローラであり、冷房運転や暖房運転の指示を受け付け、制御装置８に伝える。
【００６２】
＜空気調和装置によるビニルハウス内の空調制御＞
（冷房運転）
まず、ユーザによってリモコン３０に対して冷房運転を行わせる旨が入力される。例えば、リモコン３０に設けられた図示しないボタン等を介して入力を受け付ける。
【００６３】
そうすると、冷房運転の指示を受け付けたリモコン３０は、制御装置８に対して冷房運転を行う指令を受けたことを伝える。
【００６４】
これにより、制御装置８は、冷房運転を実行するための制御を行う。具体的には、制御装置８は、四路切換弁２２を冷房運転用の接続状態に切り替える。
【００６５】
そして、制御装置８は、図５に示すように、風向切替制御部４８に指示を送ることで、下方右開口４４および下方左開口４５が塞がれた第１状態となるようにフラップ４７を回動させる。これにより、室内熱交換器１０を通過した調和空気は、下方右開口４４や下方左開口４５側に向かうことなく、上方右開口４２を介して右上方ソックダクト５１へ供給されていき、上方左開口４３を介して左上方ソックダクト５２へ供給されていき、ビニルハウス９０の上方の空間を冷やす。
【００６６】
ここで、制御装置８は、図７に示すように、冷房運転の指示を受けているために、上方温度センサＴ２が検知する値を基準として、冷房運転の能力制御を行う。具体的には、上方温度センサＴ２が検知する値が、目標設定温度よりも非常に高い場合等では、圧縮機２１の駆動出力を上げて、室内ファンモータ１１ｍの回転数を上げる等により、熱交換能力を調節する。そして、上方温度センサＴ２が検知する温度が目標設定温度となった場合には、圧縮機２１を停止させ、室内ファンモータ１１ｍの回転も停止させる。
【００６７】
（暖房運転）
まず、ユーザによってリモコン３０に対して暖房運転を行わせる旨が入力される。例えば、リモコン３０に設けられた図示しないボタン等を介して入力を受け付ける。
【００６８】
そうすると、暖房運転の指示を受け付けたリモコン３０は、制御装置８に対して暖房運転を行う指令を受けたことを伝える。
【００６９】
これにより、制御装置８は、暖房運転を実行するための制御を行う。具体的には、制御装置８は、四路切換弁２２を暖房運転用の接続状態に切り替える。
【００７０】
そして、制御装置８は、図６に示すように、風向切替制御部４８に指示を送ることで、上方右開口４２および上方左開口４３が塞がれた第２状態となるようにフラップ４７を回動させる。これにより、室内熱交換器１０を通過した調和空気は、上方右開口４２や上方左開口４３側に向かうことなく、下方右開口４４を介して右ガイドダクト６１を通過して右下方ソックダクト７１へ供給されていき、下方左開口４５を介して左ガイドダクト６２を通過して左下方ソックダクト７２へ供給されていき、ビニルハウス９０の下方の作物Ｃの近傍の空間を暖める。
【００７１】
ここで、制御装置８は、図７に示すように、暖房運転の指示を受けているために、下方温度センサＴ１が検知する値を基準として、暖房運転の能力制御を行う。具体的には、下方温度センサＴ１が検知する値が、目標設定温度よりも非常に低い場合等では、圧縮機２１の駆動出力を上げて、室内ファンモータ１１ｍの回転数を上げる等により、熱交換能力を調節する。そして、下方温度センサＴ１が検知する温度が目標設定温度となった場合には、圧縮機２１を停止させ、室内ファンモータ１１ｍの回転も停止させる。
【００７２】
＜本実施形態に係る空気調和装置１００の特徴＞
（１）
本実施形態の空気調和装置１００では、第１状態として、下方に集まりやすい比較的冷たい空気を空間ＳＩの上方に送ることで、空間ＳＩを冷やす際の温度ムラを低減させることができる。さらに、第２状態として、上方に集まりやすい比較的暖かい空気を空間ＳＩの下方に送ることで、空間ＳＩを暖める際の温度ムラを低減させることもできる。
【００７３】
そして、第１状態において空間ＳＩの上方に送る調和空気と、第２状態において空間ＳＩの下方に送る調和空気とは、いずれも同一の室内熱交換器１０を通過して熱交換された温調空気であるため、１台の室内熱交換器１０を第１状態と第２状態とにおいて共通して利用することができ、構成を簡易なものとすることができる。これにより、空間ＳＩを冷やす場合も暖める場合も、簡易な構成で温度ムラを低減させることができる。
【００７４】
（２）
本実施形態の空気調和装置１００では、ガイドダクト６０が設けられているため、暖かい調和空気をより直接的に確実に下方空間に導くことができる。これにより、ビニルハウス９０内の空間ＳＩの温度ムラの低減をより効果的にすることができている。
【００７５】
また、ガイドダクト６０内を通過して空間ＳＩの下方まで導かれる暖かい調和空気は、ガイドダクト６０の側面に開口が設けられていないため、途中でガイドダクト６０の外部に漏れ出すことがない。これにより、暖かい調和空気を下方まで導く途中での熱損失を低減させることができる。下方に配置された下方ソックダクト７０からは、暖かい調和空気が途中からも漏れ出す構成となっているが、このガイドダクト６０では、途中で漏れ出すことが無い。これにより、ガイドダクト６０の途中で暖かい調和空気を漏れ出す場合と比較して、ガイドダクト６０の途中で暖かい空気の漏れ出しをさせない構成のほうが、作物Ｃを暖める効果をより向上させることができる。
【００７６】
（３）
本実施形態の空気調和装置１００では、調和空気を供給するためのダクトとして、上方ソックダクト５０と下方ソックダクト７０とが採用されている。この上方ソックダクト５０によって空間ＳＩの室内機１とは反対側の位置にまで調和空気が導かれるだけでなく、その途中においても微細開口を介して調和空気が空間ＳＩのいたるところに向けて送り出される。また、下方ソックダクト７０によって空間ＳＩの室内機１とは反対側の位置にまで調和空気が導かれるだけでなく、その途中においても微細開口を介して調和空気が空間ＳＩのいたるところに向けて送り出される。これにより、空間ＳＩの上方や下方に対して調和空気をより均一的に供給することができる。
【００７７】
（４）
本実施形態の空気調和装置１００では、リモコン３０が受け付ける冷房運転もしくは暖房運転の入力に応じて自動的に空間ＳＩの温度ムラが低減するような送風状態に切り替えることができる。
【００７８】
（５）
上述したようなビニルハウス内の比較的広い空間を対象として空調による温度制御を行う場合には、特に、冷房運転を行う場合には、冷たい空気が空間の下方にたまりやすいため、下方に位置している下方温度センサＴ１では目標とする温度まで冷えた値を検知していても、上方に位置している上方温度センサＴ２は目標とする温度まで冷えた値を検知していない場合がある。また、暖房運転を行う場合には、暖かい空気が上方にたまりやすいため、上方に位置している上方温度センサＴ２では目標とする温度まで暖められた値を検知していても、下方に位置している下方温度センサＴ１は目標とする温度まで暖められた値を検知していない場合がある。
【００７９】
これに対して、本実施形態の空気調和装置１００では、冷房運転を行う場合には上方に配置されている上方温度センサＴ２の検知値を基準として熱交換能力制御を行い、暖房運転を行う場合には下方に配置されている下方温度センサＴ１の検知値を基準として熱交換能力制御を行うことで、冷暖によって基準となる温度センサを切り替えている。これにより、上方だけが暖められたり冷やされたりすることを防ぎ、下方だけが暖められたり冷やされたりすることを防ぎ、空間ＳＩの全体が目標とする状態となるように能力調節を行うことができる。そして、冷房運転もしくは暖房運転の入力に応じてこのように温度ムラが低減するような送風状態とすることを、自動的に切り替えて行うことができる。
【００８０】
＜空気調和装置の変形例＞
以上、本発明の実施形態について図面に基づいて説明したが、具体的な構成は、これらの実施形態に限られるものではなく、発明の要旨を逸脱しない範囲で変更可能である。
【００８１】
（Ａ）
上記実施形態では、下方温度センサＴ１、上方温度センサＴ２および吸込温度センサＴ３の３つの温度センサが用いられた構成を例に挙げて説明した。
【００８２】
しかし、本発明はこれに限られるものではなく、例えば、図８に示すように、吸込温度センサＴ３は、上方温度センサＴ２を兼ねるようにして、上方温度センサＴ２を省略した構成としてもよい。このように、室内機１の吸込温度センサＴ３の検知値を上記実施形態における上方温度センサＴ２の検知値として代用して用いることで、センサの数を低減させて簡単な構成としつつ、上記実施形態と同様の効果を奏することができる。
【００８３】
（Ｂ）
上記実施形態では、調和空気をビニルハウス９０内の空間ＳＩの下方に導く構成として、開口がもうけられていないガイドダクト６０を例に挙げて説明した。
【００８４】
しかし、本発明はこれに限られるものではなく、例えば、図９に示すように、右ガイドダクト６１（６０）には、その外部を覆う断熱材８１（８０）が設けられた構成であってもよい。左ガイドダクト６２についても同様である。この断熱材８０は、ガイドダクト６０の一部に設けられていても、上下方向の全体に設けられている場合であっても、いずれでもよい。このようにガイドダクト６０を断熱材８０で覆うことで、ガイドダクト６０を通過する温調空気は、外部との熱交換が低減される。これにより、温調空気が下方に導かれる途中の段階でガイドダクト６０の周囲の空気との間で熱交換が行われてしまうことを抑えて、下方に供給する温調空気の熱損失をより効果的に抑えることができる。
【００８５】
（Ｃ）
上記実施形態では、風向切替制御部４８によってフラップ４７の位置を自動的に変更させる構成を例に挙げて説明した。
【００８６】
しかし、本発明はこれに限られるものではなく、例えば、上述の風向切替制御部４８が設けられていない構成であってもよい。この場合には、フラップ４７は、冷暖房の切替の際に、上記実施形態と同様の位置となるように手動で切り替えるようにしてもよい。
【００８７】
（Ｄ）
上記実施形態では、ガイドダクト６０と下方ソックダクト７０とがガイドダクト６０の下端口６０Ｄを介して直接接続された構成を例に挙げて説明した。
【００８８】
しかし、本発明はこれに限られるものではなく、例えば、ガイドダクト６０と下方ソックダクト７０とが２つの開口を有する接続体を介して接続されている構成であってもよい。
【産業上の利用可能性】
【００８９】
本発明を利用すれば、簡易な構成で対象空間の温度ムラを低減させることが可能なため、冷暖房を切り替えて用いる空気調和装置として用いる場合に、特に有効である。
【図面の簡単な説明】
【００９０】
【図１】本発明の一実施形態にかかる空気調和装置の設置状態を示す概略構成図。
【図２】空気調和装置の冷媒回路図。
【図３】吹出切替装置の斜視図。
【図４】ガイドダクトの斜視図。
【図５】上方吹出状態を示す概略断面図。
【図６】下方吹出状態を示す概略断面図。
【図７】基準とする温度センサの位置に関する説明図。
【図８】変形例（Ａ）に係る空気調和装置の基準とする温度センサの位置に関する説明図。
【図９】変形例（Ｂ）に係る空気調和装置の断熱材付きガイドダクトの概略斜視図。
【符号の説明】
【００９１】
８    制御装置（調節部）
１０    室内熱交換器（熱交換器，能力変更部）
１１    クロスフローファン（能力変更部）
１１ｍ    室内ファンモータ（能力変更部）
２１    圧縮機（能力変更部）
３０    リモコン（受付部）
４０    吹出切替装置（切替装置）
４２    上方右開口（第１送風口）
４３    上方左開口（第１送風口）
４４    下方右開口（第２送風口）
４５    下方左開口（第２送風口）
５０    上方ソックダクト（上方ダクト）
６０    ガイドダクト
６０Ｕ    上端口
６０Ｄ    下端口
７０    下方ソックダクト（下方ダクト）
８０    断熱材
１００    空気調和装置
Ｃ    作物（被温調対象）
ＳＩ    ビニルハウス内（対象空間）
Ｔ１    上方温度センサ
Ｔ２    下方温度センサ
Ｔ３    上方温度センサ（吸込温度センサ）
【図１】
0005082639.tif 000002
【図２】
0005082639.tif 000003
【図３】
0005082639.tif 000004
【図４】
0005082639.tif 000005
【図５】
0005082639.tif 000006
【図６】
0005082639.tif 000007
【図７】
0005082639.tif 000008
【図８】
0005082639.tif 000009
【図９】
0005082639.tif 000010